【事件の表示】
　平成　７年特許願第　７８１５９号「録音再生装置」拒絶査定不服審判事件〔平成　８年　９月２７日出願公開、特開平　８−２４９７９２〕について、次のとおり審決する。
【結　論】
　本件審判の請求は、成り立たない。
【理　由】
１．手続の経緯・本願発明
　本件審判の請求に係る特許出願（以下、「本願」という。）は、平成７年３月９日に出願されたものであって、その請求項１に係る発明は、平成１４年１１月１８日付けの手続補正によって補正された明細書の特許請求の範囲の請求項１に記載された以下のとおりのものと認める。
　「【請求項１】　録音開始位置及び録音終了位置を管理情報として記録媒体上の指定された管理エリアに書き込むとともに録音対象信号を録音する機能を有する録音再生装置において、
　再生装置から供給される前記録音対象信号としての再生信号のレベルが予め定めたしきい値以下となるまで録音を継続するとともに、前記再生信号のレベルが予め定めたしきい値以下となる点を再生動作終了点として記憶する第１の手段と、
　前記再生信号のレベルが再び前記しきい値以上になったとき前記再生動作終了点をリセットする第２の手段と、
　前記再生動作終了点が録音終了まで存在したときに、前記再生動作終了点を録音終了点として前記管理エリアに管理情報として記録する第３の手段と、
を備えて成ることを特徴とする録音再生装置。」（以下、「本願発明」という。）
　
　
２．先願及び先願明細書等の記載
　これに対し、原査定の拒絶の理由に引用された、本願の出願日前の他の出願であって、その出願後に出願公開された特願平５−２５３４５８（特開平７−１１１０６８号）（以下、「先願」という。）の願書に最初に添付された明細書又は図面（以下、「先願明細書等」という。）には、ディスク記録再生装置に関する発明について、以下の記載がある。
　2-1)「【０００７】【発明が解決しようとする課題】ところで、従来のディスク記録再生装置では、手動操作により録音を停止するようになっていたので、ＣＤプレーヤなどのプログラム再生機能を使って指定した曲だけをに録音する場合や、ＣＤシングルなどの録音側の容量より小さい曲を録音する場合、ソース側の再生が終了した後に無音が続けて録音されてしまうという問題点があった。無音が続けて録音されないようにするには、録音中は常にセットの側に待機しており、ソース側の再生が終了したら録音を停止しなければならなかった。
　【０００８】また、手動操作により録音を停止しなければ、録音可能領域の最後まで無音が録音されてしまい、無音部を空き領域として登録し直さなければ、追加の録音ができなくなってしまうという問題点があった。
　【０００９】そこで、上述の如き従来のディスク記録再生装置における問題点に鑑み、本発明の目的は、無音など無効な録音状態を検出して自動的に停止することができるディスク記録再生装置を提供することにある。」
　2-2)「【００２６】また、上記ハイブリッドディスク１１ｂの記録再生領域Ａ20は、演奏情報などのプログラムデータが記録されるプログラム領域Ａ21と、その内周側に設けられたＵＴＯＣ領域Ａ22とを有している。この記録再生領域Ａ20が光磁気記録媒体領域となっている。そして、上記ハイブリッドディスク１１ｂの記録再生領域Ａ20には、グルーブ（トラッキング用案内溝）に沿って記録トラックが形成されており、さらに、上記グルーブを蛇行（ウォブリング）させることにより、ウォブリング信号としてＣＬＶ制御用正弦波信号が記録されているとともに、上記ＣＬＶ制御用正弦波信号に周波数変調を施すことによりアドレス情報が重畳されている。また、上記ＵＴＯＣ領域Ａ22には、上記プログラム領域Ａ21に記録されたデータの記録位置や記録内容を示すＵＴＯＣデータとして、プログラム領域に記録された一連のデータを示すトラック番号や各領域の位置を示すアドレスなどの各種管理データが記録される。
　【００２７】ここで、上記ＵＴＯＣ領域Ａ22には、セクタ０、セクタ１及びセクタ２の３セクタ分の記録再生領域が割り当てられている。
　【００２８】上記ＵＴＯＣ領域Ａ22のセクタ０の構造を図３に示してあるように、上記セクタ０には、ディスク１１ｂの記録状況が書かれている。Ｐ−ＦＲＡは上記プログラム領域Ａ21内の記録可能領域を管理するためもので、このＰ−ＦＲＡには記録可能領域の開始位置を示すスタートアドレスが入っているセクタ０上のポインタが書かれている。また、Ｐ−ＴＮＯｎは上記プログラム領域Ａ21内の記録済領域を管理するためもので、Ｐ−ＴＮＯ１には１曲目の曲が始まるアドレスが入っているセクタ０上のポインタが書かれている。すなわち、Ｐ−ＴＮＯ１に「１」が入っていたら、セクタ０の（７６＋１×２）×４バイトを先頭に、スタートアドレスとエンドアドレスが書かれている。Ｐ−ＴＮＯ２以降も同じである。」
　2-3)「【００３２】そして、この実施例のディスク記録再生装置１は、上記スピンドルモータ１２により線速度一定で回転されるディスク１１ｂに対し、例えば光学ピックアップ１３によりレーザ光を照射しながら、磁気ヘッド１０により記録データに応じた変調磁界を印加することにより、上記ディスク１１ｂの上記記録再生領域Ａ20の記録トラックに沿って光磁気的にオーディオデータの記録を行い、また上記ディスク１１ｂの再生専用領域Ａ10及び記録再生領域Ａ20の記録トラックを上記光学ピックアップ１３によりレーザ光でトレースすることによって、光学的にオーディオデータの再生を行うもので、オーディオ信号を入出力するためのＡ／Ｄ変換器２及びＤ／Ａ変換器２１、上記Ａ／Ｄ変換器２によりオーディオ信号をディジタル化したオーディオデータが示す信号レベルをレベル検出回路３、システム全体の制御を行うシステムコントローラ４、オーディオデータに圧縮／伸長処理を施す圧縮／伸長回路６、オーディオデータをバッファメモリ１８に一時記憶しておくためのメモリコントローラ７、ディスクフォーマットに対応した変換処理を行うエンコーダ／デコーダ８、上記磁気ヘッド１０を駆動する磁気ヘッド駆動回路９、上記磁気ヘッド１０及び光学ピックアップ１３を移動させる送りモータ１４、上記スピンドルモータ１２，光学ピックアップ１３や送りモータ１４の制御を行うサーボ制御回路１５、上記光学ピックアップ１３により得られる再生出力を上記エンコーダ／デコーダ８，サーボ制御回路１５やアドレスデコーダ１７に供給するＲＦ回路１６などを備えてなる。」
　2-4)「【００３５】上記サーボ制御回路１５は、例えばフォーカスサーボ制御回路やトラッキングサーボ制御回路、スピンドルモータサーボ制御回路、スレッドサーボ制御回路などから構成される。上記フォーカスサーボ制御回路は、上記フォーカスエラー信号が零になるように、上記光学ピックアップ１３の光学系のフォーカス制御を行う。また、上記トラッキングサーボ制御回路は、上記トラッキングエラー信号が零になるように上記光学ピックアップ１３の光学系のトラッキング制御を行う。さらに、上記スピンドルモータサーボ制御回路は、上記光磁気ディスク２を所定の一定線速度で回転駆動するように上記スピンドルモータ１２を制御する。また、上記スレッドサーボ制御回路は、上記システムコントローラ４により指定される上記ディスク１１ｂの目的トラック位置に上記光学ピックアップ１３及び磁気ヘッド１０を移動させるように上記送りモータ１４を制御する。また、このような各種制御動作を行う上記サーボ制御回路１５は、該サーボ制御回路１５により制御される各部の動作状態を示す情報を上記システムコントローラ４に供給する。
　【００３６】また、上記システムコントローラ４は、キー入力操作部１９の電源キーやイジェクトキー、再生キー、一次停止キー、停止キー、録音キーなどの各種キー操作による操作入力に応じた動作制御を行う。また、このシステムコントローラ４は、上記ディスク１１ｂの記録トラックから再生されるセクタ単位のアドレス情報に基づいて、上記光学ピックアップ１３及び磁気ヘッド１０がトレースしている上記記録トラック上の記録位置や再生位置を管理する。上記システムコントローラ４は、上記ディスク１１ｂの再生専用領域Ａ10のリードイン領域Ａ12から読み出されるＴＯＣデータを記憶しておくＲＡＭを内蔵しており、このＴＯＣデータに基づいて再生専用領域Ａ10のプログラム領域Ａ11の再生位置を管理する。さらに、上記システムコントローラ７は、上記ディスク１１ｂの記録再生領域Ａ20のＵＴＯＣ領域Ａ22から読み出されるＵＴＯＣデータを上記ＲＡＭに記憶しておき、このＵＴＯＣデータに基づいて記録再生領域Ａ20のプログラム領域Ａ21に対する記録位置や再生位置を管理する。」
　2-5)「【００５９】また、上記ディスク記録再生装置では、記録動作を行う際に、上記レベル検出器３による検出出力に基づいて、上記システムコントローラ４により図６のフローチャートに示した記録制御を行う代わりに、図７のフローチャートに示すような記録制御を行うようになしてもよい。
　【００６０】すなわち、図７のフローチャートに示すような記録制御を行う場合、上記システムコントローラ４は、録音モードが設定されると先ず第１ステップｉで録音を開始させる制御を行い、第２ステップｊでメモリをクリアし、その後に第３ステップｋに移る。
　【００６１】ここで、上記メモリはオーディオデータの記録位置を示すアドレスを記憶するためのもので、上記システムコントローラ４に内蔵されている。
　【００６２】第３ステップｋでは、上記レベル検出器３による検出出力に基づいて、記録するオーディオ信号の信号レベルすなわち音声レベルが所定レベル（例えば−８０ｄＢ）に達したか否かの判定処理を行う。そして、この第３ステップｋでは、判定結果が「ＹＥＳ」すなわち音声レベルが−８０ｄＢ以上であれば第４ステップｌに移って上記メモリをクリアしてから次の第５ステップｋに移る。また、この第３ステップｋでは、判定結果が「ＮＯ」すなわち音声レベルが−８０ｄＢ未満であれば第７ステップｏに移る。
　【００６３】第５ステップｍでは、上記レベル検出器３による検出出力に基づいて、音声レベルが所定レベル（例えば−８０ｄＢ）よりも低下したか否かの判定処理を行う。そして、この第５ステップｍでは、判定結果が「ＮＯ」すなわち音声レベルが−８０ｄＢ以上であれば上記第７ステップｏに移る。また、この第５ステップｍでは、判定結果が「ＹＥＳ」すなわち音声レベルが−８０ｄＢ未満であるときには第６ステップｎに移ってオーディオデータの記録位置を示すアドレスを上記メモリに記憶してから上記第３ステップｋに戻って音声レベルの判定処理を繰り返し行う。これにより、音声レベルが−８０ｄＢ以上になるたびに上記メモリはクリアされて、音声レベルが−８０ｄＢ未満のオーディオデータの先頭の記録位置を示すアドレスが上記メモリに記憶される。
　【００６４】また、第７ステップｏでは、録音を停止したか否かの判定処理を行う。そして、この第７ステップｏでは、判定結果が「ＮＯ」すなわち録音状態にあるときには上記第３ステップｋに戻って音声レベルの判定処理を繰り返し行う。また、この第７ステップｏでは、次の第８ステップｐに移る。」
　2-6)「【００６５】ここで、上記システムコントローラ４は、上記キー入力操作部１９による停止操作入力を受け付けた場合、又は、上記ディスク１１ｂの記録再生領域Ａ20のプログラム領域Ａ21に記録可能領域がなくなった場合に、上記録音を停止させる制御を行うようになっている。」
　2-7)「【００６６】第８ステップｐでは、上記メモリに音声レベルが−８０ｄＢ未満のオーディオデータの先頭の記録位置を示すアドレスが記憶されているか否かの判定処理を行う。そして、この第８ステップｐでは、判定結果が「ＹＥＳ」すなわち上記メモリにアドレスが記憶されている場合には次の第９ステップｑに移り、また、判定結果が「ＹＥＳ」すなわち上記メモリにアドレスが記憶されている場合には第１１ステップｓに移る。
　【００６７】第９ステップｑでは、このようにして録音したオーディオデータに対し、上記メモリ記憶されていたアドレスよりも後のオーディオデータを他の曲のオーディオデータとして分割するように、ＲＡＭ上でＵＴＯＣデータを書き換える。これにより、録音したオーディオデータの終わりの部分に生じる無音状態の無効録音部分を有効録音部分と自動的に分離することができる。
　【００６８】次の第１０ステップｒでは、上記第９ステップｑにおいて分割した最後の曲すなわち上記無効録音部分の曲を削除するように、ＲＡＭ上でＵＴＯＣデータを書き換える。
　【００６９】さらに、次の第１１ステップｓでは、上記ＵＴＯＣデータを上記ＲＡＭから読み出して上記ディスク１１ｂの記録再生領域Ａ20のＵＴＯＣ領域Ａ22に記録する。これにより、録音したオーディオデータの終わりの部分に無音状態の無効録音部分がある場合には、この無効録音部分を自動的に削除することができる。」
　
　以上の記載を図面を参照して整理すると、結局、先願明細書等には、以下のとおりの発明が記載されているものと認める。
「メインデータを記録するメインデータ記録領域と該メインデータ記録領域について記録済領域と記録可能領域とを管理する管理データを記録する管理データ記録領域を有するディスク状記録媒体に対して、メインデータと管理データを記録再生するディスク記録再生装置であって、
  システム全体の制御を行うシステムコントローラを有し、
　システムコントローラは、メインデータであるオーディオデータの録音モードが設定されると、
　第１ステップで録音を開始させる制御を行い、
　第２ステップで、システムコントローラに内蔵され、オーディオデータの記録位置を示すアドレスを記憶するメモリをクリアし、
　第３ステップで、記録するオーディオ信号の信号レベルすなわち音声レベルが所定レベル（例えば−８０ｄＢ）に達したか否かの判定処理を行い、音声レベルが−８０ｄＢ以上であれば、
　第４ステップに移って上記メモリをクリアしてから第５ステップに移り、
　また、第３ステップで、音声レベルが−８０ｄＢ未満であれば第７ステップに移り、
　第５ステップで、音声レベルが所定レベル（例えば−８０ｄＢ）よりも低下したか否かの判定処理を行い、音声レベルが−８０ｄＢ以上であれば、第７ステップに移り、
　第５ステップで、音声レベルが−８０ｄＢ未満であるときには第６ステップに移ってオーディオデータの記録位置を示すアドレスを上記メモリに記憶してから第３ステップに戻って音声レベルの判定処理を繰り返し行い、音声レベルが−８０ｄＢ以上になるたびに上記メモリはクリアされて、音声レベルが−８０ｄＢ未満のオーディオデータの先頭の記録位置を示すアドレスが上記メモリに記憶し、
　第７ステップで、キー入力操作部による停止操作入力を受け付けたか否か、又は、ディスクの記録再生領域のプログラム領域に記録可能領域がなくなったか否か、いずれも録音停止か否かの判定処理を行い、判定結果が「ＮＯ」すなわち録音状態にあるときには第３ステップに戻って音声レベルの判定処理を繰り返し行い、
　また、第７ステップで、判定結果が「ＹＥＳ」すなわち録音停止と判定したとき、第８ステップに移り、
　第８ステップで、上記メモリに音声レベルが−８０ｄＢ未満のオーディオデータの先頭の記録位置を示すアドレスが記憶されているか否かの判定処理を行い、判定結果が「ＹＥＳ」すなわち上記メモリにアドレスが記憶されている場合には次の第９ステップに移り、
　また、判定結果が「ＮＯ」すなわち上記メモリにアドレスが記憶されていない場合には第１１ステップに移り、
　第９ステップで、録音したオーディオデータに対し、上記メモリ記憶されていたアドレスよりも後のオーディオデータを他の曲のオーディオデータとして分割するように、ＲＡＭ上でＵＴＯＣデータを書き換え、これにより、録音したオーディオデータの終わりの部分に生じる無音状態の無効録音部分を有効録音部分と分離し、
　第１０ステップで、第９ステップにおいて分割した最後の曲すなわち無効録音部分の曲を削除するように、ＲＡＭ上でＵＴＯＣデータを書き換え、
　第１１ステップで、上記ＵＴＯＣデータを上記ＲＡＭから読み出してディスクの記録再生領域のＵＴＯＣ領域に記録するようにした
ディスク記録再生装置。」（以下、「先願発明」という。）
　
　
３．対比・判断
　3-1）対比
　(i)先願発明は、「ＣＤプレーヤなどのプログラム再生機能を使って指定した曲だけをに録音する場合や、ＣＤシングルなどの録音側の容量より小さい曲を録音する場合、ソース側の再生が終了した後に無音が続けて録音されてしまうという問題点があった。」（【０００７】）とし、その解決を課題としてなされたもので、本願発明と課題は共通するものである。
　(ii)先願発明で、ディスクが有する管理データ記録領域とディスクの記録再生領域のＵＴＯＣ領域とは同義であり、同様に、ディスク上のメインデータ記録領域について、記録済領域と記録可能領域とを管理する管理データとＵＴＯＣデータとは同義である。
　管理データ記録領域には、各曲毎に、スタートアドレスとエンドアドレスが記録されるとともに、記録可能領域の開始位置を示すスタートアドレスが記録されるとされている（【００２８】）。
　ディスク上に記録された第一曲目のスタートアドレスが録音開始位置に対応する管理データであり、記録可能領域の開始位置を示すスタートアドレスが録音部分の最後の位置に対応する管理データであり、いずれも、所定の管理データ記録領域に記録される管理情報である。
　(iii)先願発明の解決すべき課題からみて、録音対象信号はＣＤプレーヤなどの再生装置からの再生信号であることも明らかである。
　(iv)両発明で、記録媒体に記録される管理情報、録音対象信号自体に差異はなく、いずれも、録音対象信号の入力音声レベルを所定の値と比較しながら録音動作を制御する点で差異はない。
　
　(v)［本願発明における第１の手段について］
　本願発明の「再生装置から供給される前記録音対象信号としての再生信号のレベルが予め定めたしきい値以下となるまで録音を継続するとともに、前記再生信号のレベルが予め定めたしきい値以下となる点を再生動作終了点として記憶する第１の手段」について、先願発明との対応関係について検討する。
　先願発明における「−８０ｄＢ」は、本願発明における「予め定めたしきい値」に相当することは明らかである。
　先願発明は、第１ステップで、録音が開始される。
　先願発明で、再生信号の音声レベルを判定するステップは、第３ステップ及び第５ステップである。
　第３ステップで、音声レベルが所定値以上、かつ、第５ステップで音声レベルが所定値より大きいと判定されると、第７ステップを経由してメモリをクリアしつつ、第７ステップで、停止操作がなされたか、または、記録可能領域なしと判定されるまで、録音が続けられるようにされている。
　さらに、第３ステップで、音声レベルが所定値以上でなくなった（即ち、本願発明でいう「予め定めたしきい値以下となるまで」）と判定されたときにも、第７ステップを経由するようになされており、停止操作がなされたか、または、記録可能領域がなくなるまで、録音が続けられるようにされている。
　さらに、第５ステップで、音声レベルが所定値未満と判定されたときにも、第３ステップに戻るようにされている。
　いずれの場合においても、録音が停止されるのは、第７ステップで、停止操作がなされた、または、記録可能領域がなくなったと判定されたときであり、少なくとも、録音対象信号である再生信号の音声レベルが予め定められたしきい値以下となるまでは、録音が続けられるようにされていることは明らかである。
　そして、音声レベルが所定値以上から（第３ステップで「ＹＥＳ」と判定された後）、所定値よりも低下したとき（第５ステップで「ＹＥＳ」と判定されたとき）、第６ステップで、その時のオーディオデータの記録位置を示すアドレスをメモリに記憶する処理がなされている。
　記録位置を示すアドレスが、本願発明における「再生動作終了点」に相当することは明らかである。
　結局、先願発明における、第１ステップを含み、第３ステップ及び第５ステップから第７ステップを介して第３ステップに戻るフロー、及び、第６ステップから第３ステップに戻るフローが、本願発明における「第１の手段」に相当することは明らかである。
　
　(vi)［本願発明における第２の手段について］
　先願発明は、第５ステップで音声レベルが所定値より低下したと判定された後で、第３ステップに戻ったとき、音声レベルが所定値以上であると判定されると、次の第４ステップでメモリのクリア処理を行うものであり、音声レベルが−８０ｄＢ以上になるたびに上記メモリはクリアされて、結局、メモリには、音声レベルが−８０ｄＢ未満のオーディオデータの先頭の記録位置を示すアドレスが記憶されることになる。
　第５ステップから第６ステップを経て、第３ステップの判定後、第４ステップでのメモリのクリア処理が、本願発明の再生動作終了点をリセットする動作に相当することは明らかである。
　したがって、先願発明が、本願発明が備える「第２の手段」を有していることも明らかである。
　
　(vii)［本願発明における第３の手段について］
　先願発明の第７ステップから第１１ステップの各ステップであるが、第７ステップは、キー入力操作部による停止操作入力を受け付けたか否か、または、ディスクの記録再生領域のプログラム領域に記録可能領域がなくなったか否かを判定するステップで、録音停止を判定するものである。
　録音停止の判定をすると、第８ステップに移り、
　第８ステップで、上記メモリに音声レベルが−８０ｄＢ未満のオーディオデータの先頭の記録位置を示すアドレスが記憶されているか否かの判定処理を行い、判定結果が「ＹＥＳ」すなわち上記メモリにアドレスが記憶されている場合には次の第９ステップに移り、
　第９ステップで、録音したオーディオデータに対し、上記メモリ記憶されていたアドレスよりも後のオーディオデータを他の曲のオーディオデータとして分割するように、ＲＡＭ上でＵＴＯＣデータを書き換え、これにより、録音したオーディオデータの終わりの部分に生じる無音状態の無効録音部分を有効録音部分と分離し、
　第１０ステップで、第９ステップにおいて分割した最後の曲すなわち無効録音部分の曲を削除するように、ＲＡＭ上でＵＴＯＣデータを書き換えている。
　第１１ステップで、上記ＵＴＯＣデータを上記ＲＡＭから読み出してディスクの記録再生領域のＵＴＯＣ領域に記録している。
　第８ステップで、メモリに記憶されるアドレスは、音声レベルが−８０ｄＢ未満のオーディオデータの先頭の記録位置を示すものであり、以下のステップの処理で、メモリ記憶されたアドレスよりも後のオーディオデータは無効録音部分の曲として削除されるようＲＡＭ上でＵＴＯＣデータを書き換えられ、ディスクのＵＴＯＣ領域に記録されるとされている。　　
　メモリに記憶されたアドレスは、有効録音部分のエンドアドレス、または、記録可能領域の先頭アドレスに相当するものであって、本願発明における録音終了点に相当することは明らかであり、ディスクのＵＴＯＣ領域に記録されることは明らかである。
　結局、先願発明が、本願発明が備える「第３の手段」を有していることは明らかである。
　
　3-2）判断
　以上のとおり、先願発明は、本願発明が備えるすべての要件を有するものであるから、両発明は同一発明と認める。
　
　
４．請求人の主張について
　請求人は、請求の理由において、「本願に係る発明は、再生信号のレベルが予め定めたしきい値以下となるまで録音を継続、つまり再生信号のレベルが予め定めたしきい値以下となったときに録音を（一旦）停止しており、無駄な録音部分が発生することがない。」旨主張するので検討する。
　本願発明は、上記１．に記載したとおりのもので、「再生信号のレベルが予め定めたしきい値以下となったときに録音を（一旦）停止する」との記載はない。また、発明の詳細な説明等にも記載はなく、請求人の主張する「再生信号のレベルが予め定めたしきい値以下となるまで録音を継続する」ことが、要するに、「再生信号のレベルが予め定めたしきい値以下となったときに録音を（一旦）停止する」ことを意味していると解釈するには困難である。
　さらに、このような解釈が、発明の詳細な説明及び図面の記載から可能であるか否かについて検討する。
　4-1)入力される信号のレベルを監視しているのはシステムコントローラであり、入力信号レベルとしきい値との比較結果に応じた制御を図２のように行なうとしている（【００１４】）。
　4-2)図２は、本発明の実施例の動作を示すフローチャートであるとされている（【図面の簡単な説明】）。
　4-3)ステップＳ８で、入力レベルＡが０と判断されたとき、ステップＳ８からステップＳ６に戻り、録音可能領域Ｘが１だけデクリメントされ、入力レベルＡ＝０の期間は、Ｘ＝０となるまで、録音が継続している。
　4-4)ステップＳ８で、入力レベルＡ≠０とされたときも、ステップＳ９の録音可能領域のデクリメント処理が続いており、録音が継続することは明らかである。
　4-5)ステップＳ１１で、入力レベルＡがしきい値Ｂより大と判断されたとき、ステップＳ１１からステップＳ９に戻り、録音可能領域Ｘがデクリメントされ、入力レベルＡ＞Ｂの期間は、Ｘ＝０となるまで、録音が継続することは明らかである。
　4-6)ステップＳ１１で、入力レベルＡがしきい値Ｂより大ではないと判断されたときでも、その時点を＃Ａに記録するステップＳ１２が介在するものの、ステップＳ１３での録音可能領域Ｘのデクリメント処理が連続しており、Ａ＞Ｂでないと判断されている期間は、録音可能領域Ｘ＝０となるまで、録音が継続することは明らかである。　
　4-7)図２による実施例の説明、記載では、入力レベルの有無、大小にかかわらず、ミニディスクの「録音可能領域Ｘ」がＸ＝０で、記録可能領域がないと判断されるまで、録音を継続することは明らかである。
　4-8)ステップＳ１７以後の録音終了処理に移行するのは、３つのルートがあるが、いずれも、入力レベルの有無、大小にかかわらず、ミニディスクの「録音可能領域Ｘ」がＸ＝０となったときのみで、「再生信号のレベルが予め定めたしきい値以下となったときに録音を（一旦）停止する」ことを想定しているとは到底考えられない。
　4-9）結局、請求人が主張するように、「再生信号のレベルが予め定めたしきい値以下となるまで録音を継続する」ことが、即ち、「再生信号のレベルが予め定めたしきい値以下となったときに録音を（一旦）停止する」ことを意味していると解釈することはできないものであるし、根拠がなく、採用できない。
　
　
５．むすび
　したがって、本願発明は、先願明細書等に記載された発明と同一であり、しかも、本願発明の発明者が上記先願明細書に記載された発明の発明者と同一であるとも、また、本願の出願時に、その出願人が上記他の出願の出願人と同一であるとも認められないので、本願発明については、特許法第２９条の２の規定により特許を受けることができない。
　
　よって、結論のとおり審決する。